(57)【要約】      （修正有）【課題】複数種の無線通信環境に適応した無線通信端末において、複数種の通信回線の接続の切り替えを容易に、かつ円滑に行う。【解決手段】無線通信端末１０において、制御部１８は、通信部１１、第１の通信部１２、第２の通信部１３のうちの何れかを用いてデジタルカメラ３０との無線による接続処理を行う。制御部１８は、通信部１１、第１の通信部１２、第２の通信部１３の何れかを通信媒体として、ネットワークとの接続を確立している時に、カメラ操作専用アプリケーションが起動すると、ネットワークとの接続よりも、デジタルカメラ３０との無線による接続処理の方を優先し、その後、デジタルカメラ３０とのデータの送受信が終了すると、再度、ネットワークとの接続を確立させるよう制御する。【選択図】図２
2014207650.tif 000002
【特許請求の範囲】
【請求項１】
複数種の無線通信環境に適応しデータの送受信を行う無線通信端末であって、
少なくとも前記複数種のうちの第１の無線通信環境を用いて当該無線通信端末と外部の画像データ格納装置との無線による接続処理を行う接続処理手段と、
前記接続処理手段を用いた接続要求を検出する検出手段と、
前記複数種のうちの前記第１の通信環境とは異なる第２の無線通信環境を通信媒体として外部ネットワークとの接続を確立している時に、前記検出手段による接続要求の検出があると前記第１の無線通信環境の方を優先するよう制御する第１の制御手段と、
前記第１の制御手段による制御の後、前記画像データ格納装置との接続処理が終了すると、再度、前記外部ネットワークとの接続を確立させるよう制御する第２の制御手段と
を備えることを特徴とする無線通信端末。
【請求項２】
前記接続処理手段が行う接続処理は、前記画像データ格納装置に格納されている画像データを当該無線通信端末にて閲覧する処理の一部に含まれており、
前記第２の制御手段は、前記閲覧する処理の終了を検出することにより、再度、前記外部ネットワークとの接続を確立させるよう制御する
ことを特徴とする請求項１記載の無線通信端末。
【請求項３】
前記画像データ格納装置は、動作状態と動作待機状態とを有するものであり、
前記接続処理手段が行う接続処理には、前記画像データ格納装置が前記動作待機状態の際には前記動作状態に切り替えさせ、格納されているデータを送信させた後、再度、前記動作待機状態に復帰させる処理を含む
ことを特徴とする請求項１記載の無線通信端末。
【請求項４】
複数種の無線通信環境に適応しデータの送受信を行う無線通信端末であって、
少なくとも前記複数種のうちの第１の無線通信環境を用いて当該無線通信端末と外部ネットワークとの無線による接続処理を行う接続処理手段と、
前記接続処理手段を用いた接続要求を検出する検出手段と、
前記複数種のうちの前記第１の通信環境とは異なる第２の無線通信環境を通信媒体として外部の画像データ格納装置との接続を確立している時に、前記検出手段による接続要求の検出があると前記第１の無線通信環境の方を優先するよう制御する第１の制御手段と、
前記第１の制御手段による制御の後、前記外部ネットワークとの接続処理が終了すると、再度、前記画像データ格納装置との接続を確立させるよう制御する第２の制御手段と
を備えることを特徴とする無線通信端末。
【請求項５】
前記接続処理手段が行う接続処理は、前記画像データ格納装置に格納されている画像データを外部ネットワーク上のサーバーに転送する処理の一部に含まれており、
前記第２の制御手段は、前記転送する処理の終了を検出することにより、再度、前記画像データ格納装置との接続を確立させるよう制御する
ことを特徴とする請求項４記載の無線通信端末。
【請求項６】
前記画像データ格納装置は、動作状態と動作待機状態とを有するものであり、
前記接続処理手段が行う接続処理には、前記画像データ格納装置が前記動作状態の際には前記動作待機状態に切り替えさせ、格納されているデータをサーバーに転送した後、再度、前記動作状態に復帰させる処理を含む
ことを特徴とする請求項４記載の無線通信端末。
【請求項７】
前記画像データ格納装置は、撮像手段を備え、
前記送受信されるデータには、前記撮像手段によって撮像された画像データが含まれる
ことを特徴とする請求項１から６のいずれかに記載の無線通信端末。
【請求項８】
複数種の無線通信環境に適応しデータの送受信を行う無線通信端末のコンピュータを、
少なくとも前記複数種のうちの第１の無線通信環境を用いて当該無線通信端末と外部の画像データ格納装置との無線による接続処理を行う接続処理手段、
前記接続処理手段を用いた接続要求を検出する検出手段、
前記複数種のうちの前記第１の通信環境とは異なる第２の無線通信環境を通信媒体として外部ネットワークとの接続を確立している時に、前記検出手段による接続要求の検出があると前記第１の無線通信環境の方を優先するよう制御する第１の制御手段、
前記第１の制御手段による制御の後、前記画像データ格納装置との接続処理が終了すると、再度、前記外部ネットワークとの接続を確立させるよう制御する第２の制御手段
として機能させることを特徴とするプログラム。
【請求項９】
複数種の無線通信環境に適応しデータの送受信を行う無線通信端末のコンピュータを、
少なくとも前記複数種のうちの第１の無線通信環境を用いて当該無線通信端末と外部ネットワークとの無線による接続処理を行う接続処理手段、
前記接続処理手段を用いた接続要求を検出する検出手段、
前記複数種のうちの前記第１の通信環境とは異なる第２の無線通信環境を通信媒体として外部の画像データ格納装置との接続を確立している時に、前記検出手段による接続要求の検出があると前記第１の無線通信環境の方を優先するよう制御する第１の制御手段、
前記第１の制御手段による制御の後、前記外部ネットワークとの接続処理が終了すると、再度、前記画像データ格納装置との接続を確立させるよう制御する第２の制御手段
として機能させることを特徴とするプログラム。
【発明の詳細な説明】
【技術分野】
【０００１】
本発明は、無線通信端末、及びプログラムに関する。
【背景技術】
【０００２】
従来より、デジタルカメラとプリンター等の外部機器とのデータ通信技術において、無線通信デバイスを介して撮影画像を転送し、印刷、又は、外部のネットワークへ送信することが知られている（例えば特許文献１参照）。
【０００３】
特許文献１には、主としてデジタルカメラ側から外部機器へ接続要求を行い、撮影画像を転送する内容が開示されている。
【０００４】
一方、近年、外部の通信ネットワークに接続可能な携帯通信端末が普及しており、ネットワーク上のサーバーにアクセスし、情報をダウンロードすることや、逆にネットワークにデータをアップロードする機会が増えている。
【０００５】
このような端末においては、撮像機能を有するものも存在するが、多くは、その性能でデジタルカメラ等の専用機器に及ばず、専ら、専用機器と無線で接続することで、撮像された画像を転送させ、自らを中継器としてネットワークにアップロードする使用方法が考えられている。
【先行技術文献】
【特許文献】
【０００６】
【特許文献１】特開２００４−３２８２８９号公報
【発明の概要】
【発明が解決しようとする課題】
【０００７】
しかしながら、上述したような携帯通信端末を用いる通信のケースにおいては、事前にデジタルカメラ等の専用機器を、スレーブ側に設定する必要があるため、上記の特許文献１の記載技術では、対応できないという問題がある。特に、携帯通信端末の場合、適応的に外部のネットワークとの接続が確立されており、一旦通信方式を切り替えてしまうと、その後、手動設定で外部のネットワークとの通信の再確立を行わなければならないという問題がある。
【０００８】
また、例として携帯通信端末から無線ＬＡＮ通信（Ｗｉｆｉ：アドホック接続）を用いて、デジタルカメラを遠隔操作し、撮影した画像を、すぐインターネット上のサーバー（ＳＮＳ（Ｓｏｃｉａｌ Ｎｅｔｗｏｒｋ Ｓｅｒｖｉｃｅ）サーバー等）へアップロードして共有したい場合を想定する。まず、ユーザーは、デジタルカメラと携帯通信端末間で無線ＬＡＮによる接続を確立し、携帯通信端末からの遠隔操作によるデジタルカメラで撮影する。次いで、デジタルカメラで撮影した撮影画像は、携帯通信端末に転送され、携帯通信端末は、撮影画像をサーバーへアップロードする。このとき、ユーザーは、携帯通信端末側で、無線ＬＡＮによる接続を、デジタルカメラからインターネットに接続された無線ルーター等へ接続し直し、撮影画像のアップロード完了後に、再度、デジタルカメラ側に接続し直さなければならないという問題がある。
【０００９】
そこで本発明は、通信回線の接続の切り替えを容易に、かつ円滑に行うことができる無線通信端末、及びプログラムを提供することを目的とする。
【課題を解決するための手段】
【００１０】
この発明は、複数種の無線通信環境に適応しデータの送受信を行う無線通信端末であって、少なくとも前記複数種のうちの第１の無線通信環境を用いて当該無線通信端末と外部の画像データ格納装置との無線による接続処理を行う接続処理手段と、前記接続処理手段を用いた接続要求を検出する検出手段と、前記複数種のうちの前記第１の通信環境とは異なる第２の無線通信環境を通信媒体として外部ネットワークとの接続を確立している時に、前記検出手段による接続要求の検出があると前記第１の無線通信環境の方を優先するよう制御する第１の制御手段と、前記第１の制御手段による制御の後、前記画像データ格納装置との接続処理が終了すると、再度、前記外部ネットワークとの接続を確立させるよう制御する第２の制御手段とを備えることを特徴とする無線通信端末である。
【００１１】
この発明は、複数種の無線通信環境に適応しデータの送受信を行う無線通信端末であって、少なくとも前記複数種のうちの第１の無線通信環境を用いて当該無線通信端末と外部ネットワークとの無線による接続処理を行う接続処理手段と、前記接続処理手段を用いた接続要求を検出する検出手段と、前記複数種のうちの前記第１の通信環境とは異なる第２の無線通信環境を通信媒体として外部の画像データ格納装置との接続を確立している時に、前記検出手段による接続要求の検出があると前記第１の無線通信環境の方を優先するよう制御する第１の制御手段と、前記第１の制御手段による制御の後、前記外部ネットワークとの接続処理が終了すると、再度、前記画像データ格納装置との接続を確立させるよう制御する第２の制御手段とを備えることを特徴とする無線通信端末である。
【００１２】
この発明は、複数種の無線通信環境に適応しデータの送受信を行う無線通信端末のコンピュータを、少なくとも前記複数種のうちの第１の無線通信環境を用いて当該無線通信端末と外部の画像データ格納装置との無線による接続処理を行う接続処理手段、前記接続処理手段を用いた接続要求を検出する検出手段、前記複数種のうちの前記第１の通信環境とは異なる第２の無線通信環境を通信媒体として外部ネットワークとの接続を確立している時に、前記検出手段による接続要求の検出があると前記第１の無線通信環境の方を優先するよう制御する第１の制御手段、前記第１の制御手段による制御の後、前記画像データ格納装置との接続処理が終了すると、再度、前記外部ネットワークとの接続を確立させるよう制御する第２の制御手段として機能させることを特徴とするプログラムである。
【００１３】
この発明は、複数種の無線通信環境に適応しデータの送受信を行う無線通信端末のコンピュータを、少なくとも前記複数種のうちの第１の無線通信環境を用いて当該無線通信端末と外部ネットワークとの無線による接続処理を行う接続処理手段、前記接続処理手段を用いた接続要求を検出する検出手段、前記複数種のうちの前記第１の通信環境とは異なる第２の無線通信環境を通信媒体として外部の画像データ格納装置との接続を確立している時に、前記検出手段による接続要求の検出があると前記第１の無線通信環境の方を優先するよう制御する第１の制御手段、前記第１の制御手段による制御の後、前記外部ネットワークとの接続処理が終了すると、再度、前記画像データ格納装置との接続を確立させるよう制御する第２の制御手段として機能させることを特徴とするプログラムである。
【発明の効果】
【００１４】
この発明によれば、通信回線の接続の切り替えを容易に、かつ円滑に行うことができる。
【図面の簡単な説明】
【００１５】
【図１】本発明の実施形態による無線通信端末１０を用いた通信システムの構成を示すブロック図である。
【図２】図２（ａ）は、本実施形態による無線通信端末１０の構成を示すブロック図であり、図２（ｂ）は、本実施形態によるデジタルカメラ３０の構成を示すブロック図である。
【図３】本実施形態による無線通信端末１０の動作を説明するためのフローチャートである。
【図４】本発明の第２実施形態による無線通信端末１０の動作を説明するためのフローチャートである。
【発明を実施するための形態】
【００１６】
以下、本発明の実施の形態を、図面を参照して説明する。
【００１７】
Ａ．第１実施形態の構成
図１は、本発明の第１実施形態による無線通信端末１０を用いた通信システムの構成を示すブロック図である。図において、無線通信端末１０は、例えば、スマートフォンや、タブレット端末などからなる。該無線通信端末１０は、複数種の無線通信２０、２１、２２を行うためのデバイスやプログラムを備えている。図示の例では、無線通信端末１０は、無線通信２０を用いて、所定の基地局（アクセスポイント）５０を介して、移動体通信網やインターネットなどのネットワーク６０と通信を行う他、無線通信２１、２２の全て、あるいはいずれかを用いて、デジタルカメラ３０と通信を行う。
【００１８】
図１において、無線通信端末１０は、無線通信２０、２１、２２の全て、あるいはいずれか１つ以上を用いて、ネットワーク６０と通信が確立している状態で、カメラ操作専用アプリケーション（プログラム）が起動されると、そのプログラムの処理内容にしたがって、ネットワーク６０との通信よりも優先して、無線通信２０、２１、２２の全て、あるいはいずれか１つ以上を用いて、デジタルカメラ３０との通信を確立する。無線通信端末１０がマスター、デジタルカメラ３０がスレーブとして動作する。その後、無線通信端末１０は、カメラ操作専用アプリケーション（プログラム）が終了すると、ネットワーク６０との通信を復帰させる。
【００１９】
図２（ａ）は、本第１実施形態による無線通信端末１０の構成を示すブロック図であり、図２（ｂ）は、本第１実施形態によるデジタルカメラ３０の構成を示すブロック図である。
図２（ａ）において、無線通信端末１０は、通信部１１、第１の通信部（Ｂｌｕｅｔｏｏｔｈ（登録商標））１２、第２の通信部（無線ＬＡＮ）１３、表示部１４、操作部（タッチパネル）１５、ＲＯＭ１６、ＲＡＭ１７、及び制御部１８を備えている。通信部１１は、例えば、上記無線通信２０に相当し、移動体通信を用いて、基地局（アクセスポイント）５０を介して、移動体通信網やインターネットなどのネットワーク６０に接続する。
【００２０】
第１の通信部１２は、例えば、上記無線通信２１に相当し、Ｂｌｕｅｔｏｏｔｈ（登録商標）を用いて、デジタルカメラ３０との間で画像データなどを送受信する。また、第２の通信部１３は、例えば、上記無線通信２２に相当し、無線ＬＡＮを用いて、デジタルカメラ３０との間で画像データなどを送受信する。なお、第２の通信部１３は、基地局（アクセスポイント）５０を介して、移動体通信網やインターネットなどのネットワーク６０に接続することも可能である。本第１実施形態では、無線通信端末１０は、デジタルカメラ３０との間で無線通信を確立する際に、現在のデジタルカメラ３０側の無線状態の検索と電波強弱の解析を行い、第１の通信部１２、または第２の通信部１３のうち、デジタルカメラ３０側の無線状態の良い方の通信手段に対してネゴシエーションを行う。
【００２１】
表示部１４は、液晶表示器や有機ＥＬ（Ｅｌｅｃｔｒｏ  Ｌｕｍｉｎｅｓｃｅｎｃｅ）表示器などからなり、特定の機能やアプリケーションなどに紐付けられているアイコンや、アプリケーション画面、各種のメニュー画面などを表示する。操作部（タッチパネル）１５は、指やスタイラス（ペン）などの直接接触、あるいは、近接を検出する。なお、操作部（タッチパネル）１５には、電源ボタンや音量ボタンなどの機械的なスイッチ類が含まれてもよい。ＲＯＭ１６は、後述する制御部１８により実行されるプログラムや動作等に必要とされる各種パラメータなどを記憶している。ＲＡＭ１７は、後述する制御部１８がプログラムを実行した際の一時的なデータや、各種アプリケーションプログラム、アプリケーションの実行に必要な各種パラメータなどのデータを記憶する。
【００２２】
制御部１８は、上述したＲＯＭ１６に記憶されているプログラムを実行することで各部の動作を制御する。特に、本第１実施形態では、制御部１８は、カメラ操作専用アプリケーションが起動すると、カメラ操作専用アプリケーション起動前の無線通信接続設定内容をＲＡＭ１７に記憶する。無線通信接続設定内容は、現在のネットワーク６０との無線通信環境として、例えば、通信部１１の移動体通信による通信接続を確立する際のパラメータなどを含んでいる。また、制御部１８は、カメラ操作専用アプリケーションが起動すると、事前に登録されているデジタルカメラ側の無線設定情報に従って、デジタルカメラ３０との間で、第１の通信部１２、または第２の通信部１３のうち、当該デジタルカメラ３０側の無線状態の良い方の通信手段を用いて通信を確立する処理を行う。
【００２３】
また、制御部１８は、カメラ操作専用アプリケーションの実行に従って、デジタルカメラ３０に保存されている撮像された画像データのリストを送信させたり、画像データを転送させたりするなど、マスターとして動作するよう制御する。また、制御部１８は、カメラ操作専用アプリケーションが終了した場合には、デジタルカメラ３０との通信を確立する前に、登録しておいた無線通信接続設定内容を参照し、デジカメ操作専用アプリケーションを起動する前の無線通信接続状態に戻す。
【００２４】
図２（ｂ）において、デジタルカメラ３０は、第１の通信部（Ｂｌｕｅｔｏｏｔｈ（登録商標））３１、第２の通信部（無線ＬＡＮ）３２、表示部３３、操作部３４、撮像部３５、ＲＯＭ３６、ＲＡＭ３７、記録媒体３８、及び制御部３９を備えている。
【００２５】
第１の通信部３１は、例えば、上記無線通信２１に相当し、Ｂｌｕｅｔｏｏｔｈ（登録商標）を用いて、無線通信端末１０との間で画像データなどを送受信する。また、第２の通信部３２は、例えば、上記無線通信２２に相当し、無線ＬＡＮを用いて、無線通信端末１０との間で画像データなどを送受信する。本第１実施形態では、上述したように、第１の通信部３１、または第２の通信部３２のうち、デジタルカメラ３０側の無線状態の良い方の通信手段を用いて、無線通信端末１０との間で無線通信を行う。
【００２６】
表示部３３は、液晶表示器や有機ＥＬ（Ｅｌｅｃｔｒｏ  Ｌｕｍｉｎｅｓｃｅｎｃｅ）表示器などからなり、各種のメニュー画面や、撮像時におけるライブビュー画面、撮像された画像データの再生表示などを表示する。操作部３４は、シャッタスイッチ、ズームスイッチ、モードキー、ＳＥＴキー、十字キー等の複数の操作キーを含み、ユーザーのキー操作に応じた操作信号を出力する。撮像部３５は、光学レンズ群からなるレンズブロックと、ＣＣＤや、ＣＭＯＳなどの撮像素子からなり、レンズブロックから入った画像を撮像素子によりデジタル信号に変換して出力する。
【００２７】
ＲＯＭ３６は、後述する制御部３９により実行されるプログラムや動作等に必要とされる各種パラメータなどを記憶している。ＲＡＭ３７は、撮像部３５によって撮像された画像データを一時記憶するバッファメモリとして使用されるとともに、制御部３９のワーキングメモリとして使用される。記録媒体３８は、撮像された画像データなどを保存する。
【００２８】
制御部３８は、上述したＲＯＭ３６に記憶されているプログラムを実行することで各部の動作を制御する。特に、本第１実施形態では、制御部３８は、無線通信端末１０との間で、第１の通信部３１、または第２の通信部３２のうち、当該デジタルカメラ３０側の無線状態の良い方の通信手段を用いて、通信を確立する処理を行う。また、制御部３８は、無線通信端末１０との間で通信が確立すると、無線通信端末１０で起動したカメラ操作専用アプリケーションからの指示に従って、画像データのリストを送信したり、画像データを転送したりするなど、スレーブとして動作するよう制御する。
【００２９】
Ｂ．第１実施形態の動作
次に、上述した第１実施形態の動作について説明する。
図３は、本第１実施形態による無線通信端末１０の動作を説明するためのフローチャートである。なお、ユーザーは、予め無線通信端末１０とデジタルカメラ３０との無線通信（Ｂｌｕｅｔｏｏｔｈ、無線ＬＡＮなど）の設定を一度だけ行っておく。
【００３０】
無線通信端末１０において、制御部１８は、ユーザーがカメラ操作専用アプリケーションを起動させたか否を判断する（ステップＳ１０）。そして、カメラ操作専用アプリケーションが起動されていない場合には（ステップＳ１０のＮＯ）、当該処理を終了する。
【００３１】
一方、カメラ操作専用アプリケーションが起動された場合には（ステップＳ１０のＹＥＳ）、制御部１８は、デジタルカメラ３０側の無線設定情報が事前に登録されているか否かを判断する（ステップＳ１２）。そして、デジタルカメラ３０側の無線設定情報が登録されていない場合には（ステップＳ１２のＮＯ）、当該処理を終了する。
【００３２】
一方、デジタルカメラ３０側の無線設定情報が登録されている場合には（ステップＳ１２のＹＥＳ）、制御部１８は、カメラ操作専用アプリケーション起動前の無線通信接続設定内容をＲＡＭ１７に一旦記憶保持する（ステップＳ１４）。制御部１８は、例えば、現在のネットワーク６０との無線通信環境として、通信部１１の移動体通信による通信接続を確立する際のパラメータなどを含む無線通信接続設定内容を一旦記憶保持する。
【００３３】
次に、制御部１８は、現在のデジタルカメラ３０側の無線による接続状態の検索と電波強弱の解析を行い（ステップＳ１６）、Ｂｌｕｅｔｏｏｔｈ（登録商標）、または無線ＬＡＮのうち、デジタルカメラ３０側の接続状態の良い方の無線通信、すなわち、第１の通信部（Ｂｌｕｅｔｏｏｔｈ（登録商標））１２、または第２の通信部（無線ＬＡＮ）１３のいずれか一方を用いて、デジタルカメラ３０へネゴシエーションを行い、接続を確立する（ステップＳ１８）。これにより、無線通信端末１０がマスターとなり、デジタルカメラ３０がスレーブとなる。つまり、無線通信端末１０がデジタルカメラ３０を操作する側となる。
【００３４】
次に、制御部１８は、第１の通信部（Ｂｌｕｅｔｏｏｔｈ（登録商標））１２、または第２の通信部（無線ＬＡＮ）１３のいずれか一方を用いて、デジタルカメラ３０と通信を行い、カメラ操作専用アプリケーションでの処理（画像データの転送、閲覧など）を行う（ステップＳ２０）。次に、制御部１８は、カメラ操作専用アプリケーションが終了したか否かを判断し（ステップＳ２２）、終了していない場合には（ステップＳ２２のＮＯ）、ステップＳ２０に戻り、カメラ操作専用アプリケーションでの処理を継続する。
【００３５】
一方、カメラ操作専用アプリケーションが終了した場合には（ステップＳ２２のＹＥＳ）、制御部１８は、デジタルカメラ３０との無線通信を切断し（ステップＳ２４）、デジカメ操作専用アプリケーションの起動時に一旦記憶保持しておいたデジカメ側の無線通信接続設定内容を参照し、デジカメ操作専用アプリケーションを起動する前の無線通信接続状態に戻す（ステップＳ２６）。例えば、通信部１１による、アクセスポイント（基地局）５０を介したネットワーク６０への接続状態に戻す。そして、当該処理を終了する。
【００３６】
上述した第１実施形態によれば、無線通信端末１０とデジタルカメラ３０との通信を確立する前に、無線通信端末１０の無線通信接続設定内容を一旦記憶保持しておき、アプリケーション終了時に、この一旦記憶保持しておいた無線通信接続設定内容に従って、元の通信設定状態へ自動的に戻すようにしたので、デジタルカメラ３０との接続前後における通信回線の接続の切り替えを容易に、かつ円滑に行うことができる。
【００３７】
また、上述した第１実施形態によれば、制御部１８により、デジタルカメラ３０に格納されている画像データの内容を当該無線通信端末１０にて閲覧する処理の終了を検出すると、再度、通信部１１によるネットワーク６０との接続を確立させるようにしたので、通信回線の接続の切り替えを容易に、かつ円滑に行うことができる。
【００３８】
また、上述した第１実施形態によれば、制御部１８により、デジタルカメラ３０との通信確立後、デジタルカメラ３０が動作待機状態の際には、デジタルカメラ３０を動作状態に切り替えさせ、デジタルカメラ３０に格納されている画像データを送信させた後、再度、デジタルカメラ３０を動作待機状態に復帰させるようにしたので、ユーザーを煩わせることなく、通信回線の接続の切り替えを容易に、かつ円滑に行うことができる。
【００３９】
また、上述した第１実施形態によれば、無線通信端末１０とデジタルカメラ３０との間でデジタルカメラ３０により撮像された画像データを送受信するようにしたので、ユーザーを煩わせることなく、デジタルカメラ３０により撮像された画像データを閲覧したり、転送したりすることができる。
【００４０】
なお、上述した第１実施形態においては、無線通信端末１０とデジタルカメラ３０との通信として、Ｂｌｕｅｔｏｏｔｈ（登録商標）、または無線ＬＡＮを用いたが、これ以外の通信手段であってもよいし、３つ以上であってもよい。
【００４１】
また、上記第１実施形態においては、デジタルカメラ３０は動作待機状態から動作状態へ移行するものとして記載したが、電源ＯＦＦ状態（ただし、定期的に外部からの要求は検知可能な状態）から電源ＯＮ状態に切り替えさせるようにしても良い。このようにすると必要な場合のみ電力を消費するので、省電力を達成することができる。
【００４２】
Ｃ．第２実施形態
次に、本発明の第２実施形態について説明する。
本第２実施形態において、無線通信端末１０とデジタルカメラ３０とは、第２の通信部（無線ＬＡＮ）１３と第２の通信部３２（無線ＬＡＮ）を用いた通信（アドホック通信：以下、遠隔操作用接続という）を行うことで接続されている。このように接続された無線通信端末１０とデジタルカメラ３０において、デジタルカメラ３０で撮影された撮影画像が無線通信端末１０側に転送されると、無線通信端末１０は、無線ＬＡＮルーターや、無線ＬＡＮ基地局への無線ＬＡＮ通信（インフラストラクチャー通信：以下、データ転送用接続）に切り替え、任意のＳＮＳサーバーへ撮影画像をアップロードした後、再度、デジタルカメラ３０との無線ＬＡＮによる接続、すなわち元の遠隔操作用接続へ切り替える。
【００４３】
なお、無線通信端末１０を用いた通信システムの構成、無線通信端末１０の構成、デジタルカメラ３０の構成については、上述した第１実施形態と同様であるので説明を省略する。
【００４４】
次に、上述した第２実施形態の動作について説明する。
図４は、本第２実施形態による無線通信端末１０の動作を説明するためのフローチャートである。無線通信端末１０において、制御部１８は、ユーザーがカメラ操作専用アプリケーションを起動させたか否を判断する（ステップＳ３０）。そして、カメラ操作専用アプリケーションが起動されていない場合には（ステップＳ３０のＮＯ）、当該処理を終了する。
【００４５】
一方、ユーザーによりカメラ操作専用アプリケーションが起動された場合には（ステップＳ３０のＹＥＳ）、制御部１８は、カメラ操作専用アプリケーションによって、デジタルカメラ３０との間で遠隔操作用接続を確立したか否かを判断する（ステップＳ３２）。ユーザーは、無線通信端末１０側でデジカメ操作用アプリケーションを起動した後、デジタルカメラ３０との間で遠隔操作用接続を確立するための操作を行う。そして、制御部１８は、デジタルカメラ３０との間で遠隔操作用接続を確立されない場合には（ステップＳ３２のＮＯ）、当該処理を終了する。
【００４６】
一方、ユーザー操作によりデジタルカメラ３０との間で遠隔操作用接続が確立した場合には（ステップＳ３２のＹＥＳ）、制御部１８は、無線通信端末１０からの遠隔操作により、デジタルカメラ３０で撮影された撮影画像が無線通信端末１０に転送されたか否かを判断する（ステップＳ３４）。なお、遠隔操作用接続が確立した時点で、デジタルカメラ３０は、動作状態に切り替えられる。
【００４７】
ユーザーは、無線通信端末１０側からカメラ操作専用アプリケーションによりデジタルカメラ３０へ撮影動作を行う。デジタルカメラ３０で撮影された撮影画像は、無線通信端末１０に転送される。撮影画像が無線通信端末１０に転送されない場合には（ステップＳ３４のＮＯ）、当該処理を終了する。
【００４８】
一方、デジタルカメラ３０で撮影された撮影画像が無線通信端末１０に転送されてきた場合には（ステップＳ３４のＹＥＳ）、制御部１８は、ＳＮＳサーバーへの自動アップロード設定がＯｎであるか否かを判断する（ステップＳ３６）。そして、自動アップロード設定がＯｎでない場合には、当該処理を終了する。
【００４９】
一方、自動アップロード設定がＯｎである場合、制御部１８は、無線通信端末１０側の無線ＬＡＮ接続を、インターネットに接続された、無線ＬＡＮルーター、または無線ＬＡＮ基地局のうち、受信感度の良い方に対してデータ転送用接続に切り替える（ステップＳ３８）。この時点で、デジタルカメラ３０は、動作待機状態に切り替えられる。次に、制御部１８は、データ転送用接続への切り替えが成功すると、上記撮影画像を事前に登録されたＳＮＳサーバーへアップロードする（ステップＳ４０）。制御部１８は、ＳＮＳへアップロード完了後、再度、デジタルカメラ３０に対して遠隔操作用接続に戻す（ステップＳ４２）。この時点で、デジタルカメラ３０は、動作待機状態から動作状態に切り替えられる。その後、当該処理を終了する。
【００５０】
上述した第２実施形態によれば、インフラストラクチャー通信やアドホック通信などの無線ＬＡＮ通信設定をユーザーに意識させることなく、デジタルカメラ３０との接続前後における通信回線の接続の切り替えを容易に、かつ円滑に行うことができるとともに、無線通信端末１０による遠隔操作で、デジタルカメラ３０で撮影された画像を、ＳＮＳサーバーへ自動的にアップロードすることができる。
【００５１】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００５２】
（付記１）
付記１に記載の発明は、複数種の無線通信環境に適応しデータの送受信を行う無線通信端末であって、少なくとも前記複数種のうちの第１の無線通信環境を用いて当該無線通信端末と外部の画像データ格納装置との無線による接続処理を行う接続処理手段と、前記接続処理手段を用いた接続要求を検出する検出手段と、前記複数種のうちの前記第１の通信環境とは異なる第２の無線通信環境を通信媒体として外部ネットワークとの接続を確立している時に、前記検出手段による接続要求の検出があると前記第１の無線通信環境の方を優先するよう制御する第１の制御手段と、前記第１の制御手段による制御の後、前記画像データ格納装置との接続処理が終了すると、再度、前記外部ネットワークとの接続を確立させるよう制御する第２の制御手段とを備えることを特徴とする無線通信端末である。
【００５３】
（付記２）
付記２に記載の発明は、前記接続処理手段が行う接続処理は、前記画像データ格納装置に格納されている画像データを当該無線通信端末にて閲覧する処理の一部に含まれており、前記第２の制御手段は、前記閲覧する処理の終了を検出することにより、再度、前記外部ネットワークとの接続を確立させるよう制御することを特徴とする付記１記載の無線通信端末である。
【００５４】
（付記３）
付記３に記載の発明は、前記画像データ格納装置は、動作状態と動作待機状態とを有するものであり、前記接続処理手段が行う接続処理には、前記画像データ格納装置が前記動作待機状態の際には前記動作状態に切り替えさせ、格納されているデータを送信させた後、再度、前記動作待機状態に復帰させる処理を含むことを特徴とする付記１記載の無線通信端末である。
【００５５】
（付記４）
付記４に記載の発明は、複数種の無線通信環境に適応しデータの送受信を行う無線通信端末であって、少なくとも前記複数種のうちの第１の無線通信環境を用いて当該無線通信端末と外部ネットワークとの無線による接続処理を行う接続処理手段と、前記接続処理手段を用いた接続要求を検出する検出手段と、前記複数種のうちの前記第１の通信環境とは異なる第２の無線通信環境を通信媒体として外部の画像データ格納装置との接続を確立している時に、前記検出手段による接続要求の検出があると前記第１の無線通信環境の方を優先するよう制御する第１の制御手段と、前記第１の制御手段による制御の後、前記外部ネットワークとの接続処理が終了すると、再度、前記画像データ格納装置との接続を確立させるよう制御する第２の制御手段とを備えることを特徴とする無線通信端末である。
【００５６】
（付記５）
付記５に記載の発明は、前記接続処理手段が行う接続処理は、前記画像データ格納装置に格納されている画像データを外部ネットワーク上のサーバーに転送する処理の一部に含まれており、前記第２の制御手段は、前記転送する処理の終了を検出することにより、再度、前記画像データ格納装置との接続を確立させるよう制御することを特徴とする付記４記載の無線通信端末である。
【００５７】
（付記６）
付記６に記載の発明は、前記画像データ格納装置は、動作状態と動作待機状態とを有するものであり、前記接続処理手段が行う接続処理には、前記画像データ格納装置が前記動作状態の際には前記動作待機状態に切り替えさせ、格納されているデータをサーバーに転送した後、再度、前記動作状態に復帰させる処理を含むことを特徴とする付記４記載の無線通信端末である。
【００５８】
（付記７）
付記７に記載の発明は、前記画像データ格納装置は、撮像手段を備え、前記送受信されるデータには、前記撮像手段によって撮像された画像データが含まれることを特徴とする付記１から６のいずれかに記載の無線通信端末である。
【００５９】
（付記８）
付記８に記載の発明は、複数種の無線通信環境に適応しデータの送受信を行う無線通信端末のコンピュータを、少なくとも前記複数種のうちの第１の無線通信環境を用いて当該無線通信端末と外部の画像データ格納装置との無線による接続処理を行う接続処理手段、前記接続処理手段を用いた接続要求を検出する検出手段、前記複数種のうちの前記第１の通信環境とは異なる第２の無線通信環境を通信媒体として外部ネットワークとの接続を確立している時に、前記検出手段による接続要求の検出があると前記第１の無線通信環境の方を優先するよう制御する第１の制御手段、前記第１の制御手段による制御の後、前記画像データ格納装置との接続処理が終了すると、再度、前記外部ネットワークとの接続を確立させるよう制御する第２の制御手段として機能させることを特徴とするプログラムである。
【００６０】
（付記９）
付記９に記載の発明は、複数種の無線通信環境に適応しデータの送受信を行う無線通信端末のコンピュータを、少なくとも前記複数種のうちの第１の無線通信環境を用いて当該無線通信端末と外部ネットワークとの無線による接続処理を行う接続処理手段、前記接続処理手段を用いた接続要求を検出する検出手段、前記複数種のうちの前記第１の通信環境とは異なる第２の無線通信環境を通信媒体として外部の画像データ格納装置との接続を確立している時に、前記検出手段による接続要求の検出があると前記第１の無線通信環境の方を優先するよう制御する第１の制御手段、前記第１の制御手段による制御の後、前記外部ネットワークとの接続処理が終了すると、再度、前記画像データ格納装置との接続を確立させるよう制御する第２の制御手段として機能させることを特徴とするプログラムである。
【符号の説明】
【００６１】
１０  無線通信端末
１１  通信部
１２  第１の通信部
１３  第２の通信部
１４  表示部
１５  操作部（タッチパネル）
１６  ＲＯＭ
１７  ＲＡＭ
２０、２１、２２  複数の無線通信
３０  デジタルカメラ
３１  第１の通信部
３２  第２の通信部
３３  表示部
３４  操作部
３５  撮像部
３６  ＲＯＭ
３７  ＲＡＭ
３８  記録媒体
５０  基地局
６０  ネットワーク
【図１】
2014207650.tif 000003
【図２】
2014207650.tif 000004
【図３】
2014207650.tif 000005
【図４】
2014207650.tif 000006